(57)【要約】【課題】  従来は太陽の照射による反射輝度の増大による輝度コントラストの低下に対して、反射し難い素材を用いると共にＬＥＤレンズを着色することが行なわれているが、十分な解決に至っていなかった。【解決手段】  少なくとも情報表示板に外光が照射されＬＥＤの点灯によって表示される情報が見え難くなった状態において、視覚感度が上がる周期（周波数）で前記点灯中のＬＥＤを点滅制御することを特徴とする情報表示方法である。【選択図】        図２
2006301207.tif 000002
【特許請求の範囲】
【請求項１】
少なくとも情報表示板に外光が照射されＬＥＤの点灯によって表示される情報が見え難くなった状態において、視覚感度が上がる周期（周波数）で前記点灯中のＬＥＤを点滅制御することを特徴とする情報表示方法。
【請求項２】
前記ＬＥＤの点滅周期が５〜２５Ｈｚであることを特徴とする請求項１記載の情報表示方法。
【請求項３】
情報表示板に照射される外光を検出する受光素子と、該受光素子よりの出力によって前記情報表示板の表示情報が見え難くなった状態である時に出力を送出する照度値検出手段と、該照度値検出手段からの出力によって前記情報表示板によって情報を表示しているＬＥＤを連続点灯状態から点滅状態に制御する連続／点滅切換手段とから構成したことを特徴とする情報表示装置。
【請求項４】
前記ＬＥＤの点滅周期が５〜２５Ｈｚであることを特徴とする請求項３記載の情報表示装置。
【発明の詳細な説明】
【技術分野】
【０００１】
本発明は、特に、走行中の自動車のドライバーに対してＬＥＤの点灯によって情報を伝える情報表示装置であって、朝日や夕日が情報表示装置の表示面に当たることで反射輝度が増大してＬＥＤの最大点灯輝度で表示しても視認性が悪くなった場合に、ヒトの視覚特性を考慮した手法によって視認性の向上を図る情報表示方法およびその装置に関する。
【背景技術】
【０００２】
従来における情報表示装置、例えば、特開２００２−７２９２７に開示されている情報表示装置においては、夜間の暗い時にはＬＥＤの輝度を低下させ、昼間の明るい時にはＬＥＤの輝度を上げて視認性の向上を図っていた。しかし、ＬＥＤの輝度値を最大限に高くしても、特に、朝日や夕日が表示面に当たるような場合には、輝度コントラストが低下して表示を十分に判読することができない。
【特許文献１】特開２００２−７２９２７
【発明の開示】
【発明が解決しようとする課題】
【０００３】
この輝度コントラストの低下の原因は、太陽の照射による表示面の反射輝度の増大である。この輝度コントラストの低下を防ぐ方法として、反射し難い素材を用いると共にＬＥＤレンズを着色することなどが提案されているが、十分な解決に至っていない。
【０００４】
また、別の対策として、ルーバーの向きを自動的に変化させて直射光がＬＥＤの前面に当たらないようにした提案もあるが、この場合にも太陽光がＬＥＤの正面から当たるような場合にはルーバーが全く役に立たず輝度コントラストの低下を招くといった問題があった。
【０００５】
本発明は前記した問題点を解決せんとするもので、その目的とするところは、朝日や夕日によって表示面の反射輝度が増大し輝度コントラストが低下しても視認性を確保することができる情報表示方法およびその装置を提供せんとするにある。
【課題を解決するための手段】
【０００６】
本発明の情報表示方法は前記した目的を達成せんとするもので、請求項１の手段は、少なくとも情報表示板に外光が照射されＬＥＤの点灯によって表示される情報が見え難くなった状態において、視覚感度が上がる周期（＝周波数）、いわゆるちらつきを感じる周波数で前記点灯中のＬＥＤを点滅制御することを特徴とする。
【０００７】
請求項２の手段は、前記した請求項１において、前記ＬＥＤの点滅周期が５〜２５Ｈｚであることを特徴とする。
【０００８】
本発明の情報表示装置における請求項３の手段は、情報表示板に照射される外光を検出する受光素子と、該受光素子よりの出力によって前記情報表示板の表示情報が見え難くなった状態である時に出力を送出する照度値検出手段と、該照度値検出手段よりの出力によって前記情報表示板によって情報を表示しているＬＥＤを連続点灯状態から点滅状態に制御する連続／点滅切換手段とから構成したものである。
【０００９】
請求項４の手段は、前記した請求項３において、前記ＬＥＤの点滅周期が５〜２５Ｈｚであることを特徴とする。
【発明の効果】
【００１０】
本発明は前記したように、少なくとも情報表示板に外光が照射されＬＥＤの点灯によって表示される情報がＬＥＤの最大点灯輝度で表示しても見え難くなった状態において、ちらつきを感じ視覚感度が上がる周期で前記点灯中のＬＥＤを点滅制御することにより、表示に対する視認性を向上させることができる。
【００１１】
また、ＬＥＤの点滅周期を５〜２５Ｈｚで制御することにより、より視認性を向上させることができるといった効果が得られるものである。
【発明を実施するための最良の形態】
【００１２】
本発明は、少なくとも情報表示板に外光が照射されＬＥＤの点灯によって表示される情報がＬＥＤの最大点灯輝度で表示しても見え難くなった状態において、ちらつきを感じ視覚感度が上がる周波数で前記点灯中のＬＥＤを点滅制御する。
【実施例１】
【００１３】
以下、本発明に係る情報表示装置の実施例を図１、図２と共に説明する。
１は路肩等に立設された支柱２の梁２１に取付けられた表示板にして、表示板の前面にはＬＥＤ（例えば、１６×１６個）がマトリックス状に配置されたＬＥＤユニット１１が複数個取付けられ表示面が形成されている。また、前面板１２には孔１２ａが形成され、前記孔１２ａの底面には受光素子３（図２参照）が取付けられている。
【００１４】
前記受光素子３は前記孔１２ａの底面に取付けられているので、前記前面板１２に対して略垂直方向から照射される外光、すなわち、朝日や夕日が照射されると最も高い出力を送出することになる。
【００１５】
４は前記受光素子３よりの出力が予め定められた値に達した場合に出力を送出する照度値検出手段にして、前記予め定められた値とは、前記した朝日や夕日が照射された直射時の値であって、周囲が太陽光の直射を受けた場合より暗い場合には、前記予め設定した値とはならないように設定してある。
【００１６】
５は前記照度値検出手段４よりの出力が、前記予め設定した値より小さい場合には、ＬＥＤユニット１１のＬＥＤを連続点灯するように制御し、また、予め設定した値を越えた場合には、ＬＥＤを点滅制御（後に詳述する好ましくは８Ｈｚ）させるための連続／点滅切換手段である。
【００１７】
次に、前記した構成に基づいて動作を説明するに、前記受光素子３が昼間時において太陽の直射を受けていない状態にあっては、受光素子３よりの照度信号から照度値検出手段４は予め設定した値より小さい値を出力するので、連続／点滅切換手段５からはＬＥＤを連続点灯させる出力を送出する。また、受光素子３は昼間時における照度を検出するので、高い輝度値によってＬＥＤを連続点灯させる。
【００１８】
また、夜間においては、前記と同様に照度値検出手段４は予め設定した値より小さい値を出力するので、連続／点滅切換手段５はＬＥＤを連続点灯させると共に、受光素子３の照度値に応じた低い輝度値でＬＥＤを連続点灯させる。
【００１９】
一方、受光素子３が太陽光（朝日や夕日）の直射を受けると、該受光素子３よりの照度値は高くなり、この出力を受けた照度値検出手段４は予め設定した値より高い出力を送出する。これにより連続／点滅切換手段５はＬＥＤを点滅駆動（５〜２５Ｈｚ、好ましくは８Ｈｚで点滅させる）して表示するので、ちらつきを感じる視覚感度の高い表示となるため、車両のドライバーから見て視認性が良好となる。
【００２０】
ここで、点滅させることで視認性が向上する人の視覚特性について説明する。
De Langeによれば図３のグラフに示すように、特定の周波数域においてコントラスト閾値が低くなることが報告されている。このグラフは、縦軸に認識限界の輝度コントラストであるコントラスト閾値を、横軸に点滅周期を示す時間周波数によって表された視覚特性である。そして、より具体的には、測定部位の大きさが視野角２°の円形状で点滅周期と輝度コントラストを変化させて計測し、点滅した測定部位の存在を認識できる限界の点滅周期と輝度コントラストを求めたものである。そして、各グラフは、網膜照度の違いを示し、明るい環境下ほどコントラスト閾値が低くなる傾向を示している。
【００２１】
最外側の白丸のグラフは、昼間時の明るい網膜照度10000［td］の条件において、ゆっくりとした点滅周期と比較して、特定周期の点滅に対してはコントラスト閾値が低くなることを示している。
【００２２】
そこで、発明者等は、人の視覚特性が線形であると仮定するならば、コントラスト閾値の違いは、視覚感度の違いと考えることができると仮定した。
図３のグラフでは、時間周波数１Ｈｚ時のコントラスト感度は０．０１８である。時間周波数８Ｈｚ時のコントラスト感度は０．００５である。人の視覚特性での感覚量は、ウェーバーの法則で知られるように、対数で考える必要がある。よって、ＬＯＧ ０．００５ ／ ＬＯＧ ０．０１８  ＝ １．３１９であることから、１Ｈｚと比較して８Ｈｚの点滅表示時には、約３２％視覚感度が向上する可能性がある。
発明者等は、前記したグラフの特定周波数域で仮定通り視覚感度が向上するか否かの実験を行なった。その実験は、晴れた日の屋外において、文字を見えなくなる限界の点灯輝度で表示し、２〜３０Ｈｚで点滅すると共に徐々に周波数を高くし、文字が見えるか否かを調査し、被験者８人から回答を得た。その結果を表１に示す。なお、表において×は文字が見えなかったとの回答、○は見えたとの回答である。
【表１】
2006301207.tif 000003
【００２３】
この実験結果より、同じ点灯輝度で表示しているにも関わらず、周期を変化させることによって、視覚感度の良好な特定周期では明るく知覚される現象が明らかとなった。特に、実験の結果から５〜２５Ｈｚで点滅させることで、視覚感度が年齢差に関係なく向上することが判った。
【００２４】
前記した実験から、情報表示板におけるＬＥＤによって情報を表示する場合、特に、太陽光が前面板１２に対して直射し、ＬＥＤの最大点灯輝度で表示しても表示が見難い場合にＬＥＤを５〜２５Ｈｚで点滅させることによって視覚感度が高い表示が実現できることから情報が見やすくなって視認性の向上を図ることができる。
【図面の簡単な説明】
【００２５】
【図１】本発明の情報表示装置に使用される情報表示板の正面図である。
【図２】情報表示装置の回路ブロック図である。
【図３】人の視覚特性を示すグラフである。
【符号の説明】
【００２６】
１          表示板
３          受光素子
４          照度値検出手段
５          連続／点滅切換手段
【図１】
2006301207.tif 000004
【図２】
2006301207.tif 000005
【図３】
2006301207.tif 000006